(57)【特許請求の範囲】
【請求項１】
携帯型情報処理端末を、
暖房と冷房のうちの少なくとも一方の機能を有する冷暖房装置の目標温度を取得する目標温度取得部、
１日または複数日単位の気温の変化を検出する検出部、
前記変化が閾値以下の期間が今日を含めて最近の複数日間継続した場合に、前記目標温度を気温に近づけるように補正する補正部、
前記冷暖房装置に、前記補正後の目標温度で動作する指示を送信する指示部、
として動作させる
ことを特徴とするプログラム。
【請求項２】
前記携帯型情報処理端末を、
自端末の発熱量を推定する発熱量推定部、
角速度センサの検出値から、自端末がユーザに所持されているか否かを判定する所持判定部、
自端末がユーザに所持されていないときに自端末の温度センサが検出した温度を、前記推定した発熱量で補正して、自端末の周囲温度を求める温度補正部、
としてさらに動作させると共に、
前記目標温度取得部は、前記温度補正部が求めた前記周囲温度に基づいて前記目標温度を設定する
ことを特徴とする請求項１に記載のプログラム。
【請求項３】
発熱量推定部は、自端末のバッテリ電圧の変化、およびまたはアプリケーションプログラムの稼働状況に基づいて前記発熱量を推定する
ことを特徴とする請求項２に記載のプログラム。
【請求項４】
前記検出部は、インターネット上の所定のＷｅｂサイトにアクセスし、前記冷暖房装置の設置場所における気温の情報を取得して、前記変化を検出する
ことを特徴とする請求項１乃至３のいずれか１つに記載のプログラム。
【請求項５】
前記携帯型情報処理端末は、全地球測位システムによって自端末の位置を認識する機能を備え、
前記携帯型情報処理端末を、前記全地球測位システムによって認識した自端末の位置の履歴に基づいて、前記冷暖房装置の設置場所を特定する設置場所特定部としてさらに機能させ、
前記検出部は、インターネット上の所定のＷｅｂサイトにアクセスし、前記設置場所特定部が特定した設置場所における気温の情報を取得して、前記変化を検出する
ことを特徴とする請求項４に記載のプログラム。
【請求項６】
前記冷暖房装置は、床暖房装置であり、
前記目標温度取得部は、低温やけど防止の観点に基づいて予め定められた室温に対する適正温度範囲と該適正温度範囲内の相対位置を示す設定温度レベルとから前記床暖房装置の目標温度を取得する
ことを特徴とする請求項１乃至５のいずれか１つに記載のプログラム。
【請求項７】
暖房と冷房のうちの少なくとも一方の機能を有する冷暖房部と、
請求項１乃至６のいずれか１つに記載のプログラムが稼働している携帯型情報処理端末から、前記指示を受信する受信部と、
前記受信部が受信した前記指示に従って前記冷暖房部の動作を制御する制御部と、
を有する
ことを特徴とする冷暖房装置。
【請求項８】
暖房と冷房のうちの少なくとも一方の機能を有する冷暖房部と、
前記冷暖房部の目標温度を取得する目標温度取得部と、
１日または複数日単位の気温の変化を検出する検出部と、
前記検出部で検出された前記変化が閾値以下の期間が今日を含めて最近の複数日間継続した場合に、前記目標温度を気温に近づけるように補正する補正部と、
前記補正された目標温度に基づいて前記冷暖房部の動作を制御する制御部と、
を有する
ことを特徴とする冷暖房装置。
【請求項９】
前記目標温度取得部は、室温に基づいて前記目標温度を設定する、
ことを特徴とする請求項８に記載の冷暖房装置。
【発明の詳細な説明】
【技術分野】
【０００１】
本発明は、冷暖房装置に目標温度を指示するように携帯型情報処理端末を動作させるプログラムおよび冷暖房装置に関する。
【背景技術】
【０００２】
気温に応じて設定温度（目標温度）を制御する技術が種々ある。たとえば、風呂の湯温を「あつめ」、「ふつう」、「ぬるめ」といった区分で設定する場合に、それぞれの区分に対する実際の設定温度を気温に応じて変更するようにした風呂給湯器がある（たとえば、特許文献１参照）。
【０００３】
また、寒い日には配管を流れる間に湯温が低下することを考慮し、風呂の沸き上げ完了時の湯温を設定温度より高めに補正する際の補正幅を、気温に応じて変更する風呂給湯器がある（特許文献２参照）。
【０００４】
また居室空気の攪拌を伴わない床暖房装置使用中においては、居室壁面に設置されたリモコンで測定される室温（気温）に応じて床表面の適正温度範囲を定め、ユーザの設定温度レベルを適正温度範囲と照らし合わせて床表面温度を決定することが好ましい。
【先行技術文献】
【特許文献】
【０００５】
【特許文献１】特許第３０５０９０５号
【特許文献２】特開平１−２２２１１７号公報
【発明の概要】
【発明が解決しようとする課題】
【０００６】
人が「あつい」と感じる風呂の湯温が、気温によって左右されるのと同様に、冷暖房において人が快適と感じる温度も気温によって左右される。
【０００７】
しかし、同じ気温であっても、前日に比べて急に温度が下がった場合と、その気温が数日続いている場合とでは、人の感じ方に違いが生じる。たとえば、前日に比べて急に温度が下がったために寒いと感じた日と同じ気温であっても、そのような寒い日がしばらく続いた後には、体がその気温に慣れるため、寒いと感じ難くなる。
【０００８】
そのため、単に現在の気温に応じて冷暖房温度を制御すると、人が快適と感じる温度に必ずしも制御できなくなる。たとえば、寒い日がしばらく続いた後に、単に室温に応じた設定温度に制御して暖房すると、適温より高くなってしまうと共に、省エネルギーにも反する。
【０００９】
また、居室空気の攪拌を行なわない床暖房装置使用中においては、居室壁面に設置されたリモコン内にある温度センサで検出する室温（気温）と、ユーザ近辺の温度とは乖離が激しい。
【００１０】
本発明は、上記の問題を解決しようとするものであり、気温の変化に対する人の体の慣れを考慮した適温に目標温度を補正することのできる冷暖房装置、および冷暖房装置にユーザ近辺の温度を用いた目標温度を指示するように携帯型情報処理端末を動作させるプログラムを提供することを目的としている。
【課題を解決するための手段】
【００１１】
かかる目的を達成するための本発明の要旨とするところは、次の各項の発明に存する。
【００１２】
［１］携帯型情報処理端末を、
暖房と冷房のうちの少なくとも一方の機能を有する冷暖房装置の目標温度を取得する目標温度取得部、
１日または複数日単位の気温の変化を検出する検出部、
前記変化が閾値以下の期間が今日を含めて最近の複数日間継続した場合に、前記目標温度を気温に近づけるように補正する補正部、
前記冷暖房装置に、前記補正後の目標温度で動作する指示を送信する指示部、
として動作させる
ことを特徴とするプログラム。
【００１３】
上記発明では、気温の変化が閾値以下の日が、今日を含めて最近の複数日間継続した場合は、人の体がこの気温に慣れたと判断し、冷暖房の目標温度を気温に近づけるように補正する。すなわち、暖房の場合は目標温度を下げる補正を行い、冷房の場合は目標温度を高める補正を行う。
【００１４】
［２］前記携帯型情報処理端末を、
自端末の発熱量を推定する発熱量推定部、
角速度センサの検出値から、自端末がユーザに所持されているか否かを判定する所持判定部、
自端末がユーザに所持されていないときに自端末の温度センサが検出した温度を、前記推定した発熱量で補正して、自端末の周囲温度を求める温度補正部、
としてさらに動作させると共に、
前記目標温度取得部は、前記温度補正部が求めた前記周囲温度に基づいて前記目標温度を設定する
ことを特徴とする［１］に記載のプログラム。
【００１５】
上記発明では、目標温度取得部は、室温に基づいて目標温度を設定し、補正部は該目標温度を、最近の気温の変化状況に基づいて補正する。室温は、携帯型情報処理端末が内蔵する温度センサを利用して測定するが、内蔵する温度センサは自端末の動作や充電による発熱の影響を受けるので、温度センサの検出温度を自端末の発熱量で補正して、周囲温度（室温）を求める。
【００１６】
［３］発熱量推定部は、自端末のバッテリ電圧の変化、およびまたはアプリケーションプログラムの稼働状況に基づいて前記発熱量を推定する
ことを特徴とする［２］に記載のプログラム。
【００１７】
上記発明では、充電による発熱量はバッテリ電圧の上昇から算出可能であり、ＣＰＵ等の発熱量はアプリケーションプログラムの稼働状況から算出できる。
【００１８】
［４］前記検出部は、インターネット上の所定のＷｅｂサイトにアクセスし、前記冷暖房装置の設置場所における気温の情報を取得して、前記変化を検出する
ことを特徴とする［１］乃至［３］のいずれか１つに記載のプログラム。
【００１９】
［５］前記携帯型情報処理端末は、全地球測位システムによって自端末の位置を認識する機能を備え、
前記携帯型情報処理端末を、前記全地球測位システムによって認識した自端末の位置の履歴に基づいて、前記冷暖房装置の設置場所を特定する設置場所特定部としてさらに機能させ、
前記検出部は、インターネット上の所定のＷｅｂサイトにアクセスし、前記設置場所特定部が特定した設置場所における気温の情報を取得して、前記変化を検出する
ことを特徴とする［４］に記載のプログラム。
【００２０】
上記発明では、冷暖房装置の使用者が所持する携帯型情報処理端末の位置を全地球測位システムで計測し、該携帯型情報処理端末の位置の履歴に基づいて、冷暖房装置の設置場所を特定する。Ｗｅｂサイトから提供される情報に基づいて、該冷暖房装置の設置場所における気温の情報を取得する。
［６］前記冷暖房装置は、床暖房装置であり、
前記目標温度取得部は、低温やけど防止の観点に基づいて予め定められた室温に対する適正温度範囲と該適正温度範囲内の相対位置を示す設定温度レベルとから前記床暖房装置の目標温度を取得する
ことを特徴とする［１］乃至［５］のいずれか１つに記載のプログラム。
【００２１】
［７］暖房と冷房のうちの少なくとも一方の機能を有する冷暖房部と、
［１］乃至［６］のいずれか１つに記載のプログラムが稼働している携帯型情報処理端末から、前記指示を受信する受信部と、
前記受信部が受信した前記指示に従って前記冷暖房部の動作を制御する制御部と、
を有する
ことを特徴とする冷暖房装置。
【００２２】
［８］暖房と冷房のうちの少なくとも一方の機能を有する冷暖房部と、
前記冷暖房装置の目標温度を取得する目標温度取得部と、
１日または複数日単位の気温の変化を検出する検出部と、
前記検出部で検出された前記変化が閾値以下の期間が今日を含めて最近の複数日間継続した場合に、前記目標温度を気温に近づけるように補正する補正部と、
前記補正された目標温度に基づいて前記冷暖房部の動作を制御する制御部と、
を有する
ことを特徴とする冷暖房装置。
【００２３】
上記発明では、冷暖房装置自体が、１日または複数日単位の気温の変化を検出して目標温度を補正する。
【００２４】
［９］前記目標温度取得部は、室温に基づいて前記目標温度を設定する、
ことを特徴とする［８］に記載の冷暖房装置。
【発明の効果】
【００２５】
本発明に係る携帯型情報処理端末のプログラム、冷暖房装置によれば、気温の変化に対する人の体の慣れを考慮した適温に冷暖房の温度を制御することができる。
【図面の簡単な説明】
【００２６】
【図１】本発明の冷暖房装置の一例としての床暖房装置を含む床暖房システムの構成例を示す図である。
【図２】携帯型情報処理端末の概略構成を示すブロック図である。
【図３】携帯型情報処理端末が設定温度の補正に関して行う処理全体の概要を示す流れ図である。
【図４】室温の検出処理（図３のステップＳ１０３）の詳細を示す流れ図である。
【図５】通常時の床表面温度の適正温度範囲の一例を示す図である。
【図６】寒さに慣れてきた時の床表面温度の適正温度範囲の一例を示す図である。
【発明を実施するための形態】
【００２７】
以下、図面に基づき本発明の実施の形態を説明する。
【００２８】
図１は、本発明の冷暖房装置の一例としての床暖房装置３を含む床暖房システム２の構成例を示している。床暖房システム２は、熱源機４と、熱源機４に接続された放熱パネル５とから構成された床暖房装置３と、タブレット端末やスマートフォンなどの携帯型情報処理端末１０を備えて構成される。放熱パネル５は床材の下に敷設される。
【００２９】
携帯型情報処理端末１０は、床暖房装置３のリモートコントローラ（以下、リモコンとも記す）としての機能を果たす。携帯型情報処理端末１０には、当該携帯型情報処理端末１０を、床暖房装置３のリモートコントローラとして機能させるためのアプリケーションプログラム（リモコンアプリと略する）がインストールされている。
【００３０】
床暖房装置３の熱源機４は、バーナ、該バーナで加熱される熱交換器、該熱交換器と放熱パネル５とを結ぶ循環経路、該循環経路内の熱媒体流体を循環させる循環ポンプ等を有する。放熱パネル５の内部には、熱媒体流体が通るチューブが張り巡らされている。床暖房装置３は、熱源機４のバーナおよび熱交換器で加熱した熱媒体流体を放熱パネル５に循環させることで床暖房の機能を果たす。放熱パネル５は居室中央に敷設され、居室床面積の例えば８０％以上を占めるように設置される。
【００３１】
床暖房システム２の使用者の自宅には、インターネットに接続された無線ルータ６が設けられ、床暖房装置３の熱源機４と携帯型情報処理端末１０はこの無線ルータ６が提供する無線ＬＡＮ（Local Area Network）に接続されている。この接続において、熱源機４のゲートウエイアドレス（無線ＬＡＮルータ６のＬＡＮ側アドレス）と携帯型情報処理端末１０のゲートウエイアドレスを一致させる（熱源機４と携帯型情報処理端末１０とをホームネットワークに接続する）。床暖房装置３の熱源機４と携帯型情報処理端末１０は無線ルータ６を介した無線ＬＡＮを通じて通信する。
【００３２】
無線ルータ６を介することで、熱源機４と携帯型情報処理端末１０が通信可能な距離は、一定距離以内に制限される。
【００３３】
インターネットには、各種のＷｅｂサーバが接続されており、携帯型情報処理端末１０は、インターネット上の任意のＷｅｂサイト８から各種の情報を取得することができる。
【００３４】
床暖房装置３のリモコンとして機能する携帯型情報処理端末１０は、床暖房装置３の運転のオン・オフの切り替えや設定温度の設定操作などをユーザから受け付ける。該携帯型情報処理端末１０は、使用者から受け付けた設定や指示の内容を熱源機４に送信する。また、熱源機４から各種の情報を受信して表示する。
【００３５】
さらに床暖房装置３のリモコンとして機能する携帯型情報処理端末１０は、ユーザの設定した設定温度を、室温と最近数日間の気温の変化状況とに基づいて補正し、補正後の設定温度で動作する指示を床暖房装置３の熱源機４に送信する機能を果たす。
【００３６】
図２は、携帯型情報処理端末１０の概略構成を示している。携帯型情報処理端末１０は、当該携帯型情報処理端末１０の動作を統括制御する制御部としてのＣＰＵ（Central Processing Unit）１１を備えている。ＣＰＵ１１には、ＲＯＭ（Read Only Memory）１２、ＲＡＭ（Random Access Memory）１３、不揮発メモリ１４、操作部１５、表示部１６、通信部１７、姿勢検出部１８、ＧＰＳ機能部２１、音声出力部２２、カメラ（カメラデバイス）２３などが接続されている。
【００３７】
ＲＯＭ１２には、各種の固定データが格納される。不揮発メモリ１４は、電源をオフにしても記憶内容を保持する書き換え可能なメモリであり、ＯＳ（Operating System）のプログラム、リモコンアプリを含む各種のアプリケーションプログラム、各種の設定内容などが記憶される。
【００３８】
ＣＰＵ１１が不揮発メモリ１４に格納されたリモコンアプリを実行することで、携帯型情報処理端末１０は床暖房装置３のリモコンとして機能する、また、室温や数日間の気温の変化状況に応じて設定温度を補正する機能を果たす。ＲＡＭ１３はＣＰＵ１１がアプリケーションプログラムを実行する際に各種のデータを一時的に格納するワークメモリや表示データを一時記憶するメモリとして使用される。
【００３９】
表示部１６は、操作画面や設定画面など任意の内容を表示可能な液晶ディスプレイなどで構成される。操作部１５は、ユーザから各種の操作を受け付ける機能を果たす。操作部１５は、表示部１６の画面上に設けられ、指やペンなどによって押下された位置を検出するタッチパネル１５ａのほか、少数のハードキーなどで構成される。
【００４０】
通信部１７は、無線ＬＡＮによって床暖房装置３の熱源機４や他の外部装置、インターネット上のＷｅｂサイト８と通信する機能を果たす。
【００４１】
姿勢検出部１８は、角速度・加速度センサを有し、該角速度・加速度センサを利用して携帯型情報処理端末１０の姿勢を検出する。姿勢検出部１８は、角速度・加速度センサのほかに温度センサ１９を備えている。温度センサ１９は、角速度・加速度センサの特性を温度補償するためのものであり、角速度・加速度センサの近くの温度、すなわち、携帯型情報処理端末１０の内部温度を検出する。制御アプリは、温度センサ１９が検出する携帯型情報処理端末１０の内部温度から周囲温度(室温)を推定する処理を行う。なお、各センサの温度補償用に備えている温度センサではなく、携帯型情報処理端末１０専用に温湿度センサが備えている場合には、前記温湿度センサを温度センサ１９として用いても良い。
【００４２】
ＧＰＳ機能部２１は、全地球測位システム（ＧＰＳ：Global Positioning System）を利用して、携帯型情報処理端末１０の現在の位置（緯度、経度、高度）を特定する機能を果たす。
【００４３】
音声出力部２２は、アンプ、スピーカを備え、電気的な音声信号を音波に変換して出力する。カメラ２３は、携帯型情報処理端末１０の背面に、あるいは背面と正面にそれぞれ設けられる。
【００４４】
床暖房装置３の熱源機４は、当該熱源機４の動作を制御する制御基板３０を備えている（図１参照）。制御基板３０は、ＣＰＵ、ＲＯＭ、ＲＡＭを主要部として構成されており、ＣＰＵがＲＯＭに格納されているプログラムを実行することで、熱源機４として機能するための制御が行われる。制御基板３０は、無線ＬＡＮに接続して通信するための通信Ｉ／Ｆ（Interface）、熱源機４が備える各センサの検出値を入力する入力Ｉ／Ｆ、ガス比例弁、循環ポンプなどに制御信号を出力する出力Ｉ／Ｆを備えている。
【００４５】
次に、リモコンアプリで動作する携帯型情報処理端末１０が、設定温度を補正する際の概略手順を、図３に基づいて説明する。
【００４６】
まず、携帯型情報処理端末１０は、床暖房装置３（熱源機４）の設置場所を特定する処理を行う（ステップＳ１０１）。床暖房装置３の設置場所の特定方法には以下のようなものがある。
【００４７】
（１）ユーザに自宅の位置を指定させる
たとえば、ユーザが床暖房装置３の設置場所の近く（たとえば、ユーザの自宅のリビング）に居るときに、リモコンアプリが稼働している携帯型情報処理端末１０に対して、現在自宅に居る旨の入力操作をユーザに行ってもらい、ＧＰＳ機能を利用して、そのときの携帯型情報処理端末１０の位置（緯度、経度）を取得し、これを床暖房装置３の設置場所に特定する。
【００４８】
（２）ユーザの行動パターンからユーザの自宅（床暖房装置３の設置場所）を特定する
たとえば、携帯型情報処理端末１０が備えるＧＰＳ機能を利用して、携帯型情報処理端末１０の位置の履歴を記録し、該履歴を解析してユーザの自宅の位置（床暖房装置３の設置場所）を特定する。
【００４９】
携帯型情報処理端末１０の位置の履歴の解析は、たとえば、以下のような条件で行う。
・一定時間以上、同じ姿勢が継続している、
・夜間である、
・携帯型情報処理端末１０が充電中である、
・毎日、同じ場所に戻ってきている、
・床暖房装置３の稼働中に居る場所である、
・床暖房装置３の熱源機４と通信可能な状態のときに居る場所である、
などの条件から、自宅に居ると推定されたときのＧＰＳ情報から自宅の場所（床暖房装置３の設置場所）を特定する。
【００５０】
次に、床暖房装置３の設置場所における、最近数日間の気温に関する情報を取得する（ステップＳ１０２）。ここでは、インターネット上の気象情報を提供する所定のＷｅｂサイト８にアクセスして、ＧＰＳ機能で求めた自宅の位置における、最近数日間の気温の情報を取得する。なお、毎日、Ｗｅｂサイト８から、ＧＰＳ機能で求めた自宅の位置におけるその日の気温の情報を取得し、これを携帯型情報処理端末１０で蓄積記憶するようにし、該記憶から、最近数日間の気温を取得してもよい。
【００５１】
次に、室温を検出する（ステップＳ１０３）。前述したように、温度センサ１９が検出する温度は携帯型情報処理端末１０の内部の温度なので、携帯型情報処理端末１０の内部での発熱による影響を受ける。そこで、携帯型情報処理端末１０の発熱量を算出し、温度センサ１９が検出した温度を該発熱量で補正して携帯型情報処理端末１０の周囲温度を推定する。室温の検出処理の詳細は後述する。
【００５２】
床暖房装置３のリモコンとして動作する携帯型情報処理端末１０は、暖房の設定温度の設定操作をユーザから受けている。リモコンアプリで動作する携帯型情報処理端末１０は、ユーザから受けた設定温度レベルを目標温度に変換するにあたり、最近数日間の外気温の変化状況に基づいて補正する（ステップＳ１０４）。外気温は、冷暖房装置の設備の一部が室外にある場合にはその室外の設置場所の温度を、温度センサを用いて測定して外気温としてもかまわないが、携帯型情報処理端末１０にてＧＰＳの情報に基づいて、当該地域の温度を取得するようにしてもかまわない。このようにすると、冷暖房装置の設備の一部が室外にない場合でも外気温を測定できる。
【００５３】
たとえば、今日の外気温が昨日に比べて一定温度以上低下している場合、すなわち、昨日に比べて急に寒くなったときは、ユーザの設定した設定温度レベルから目標温度を求めるにあたり、適正温度範囲の補正を行わない。一方、今日の気温が昨日に比べてあまり変わらない場合、たとえば、寒い日が最近の数日間続いている場合は、人の体が寒さに慣れてきていると想定されるので、ユーザの設定した設定温度レベルから目標温度を求めるために用いる適正温度範囲を、たとえば、１℃減算して、目標温度が下がるように補正する。
【００５４】
床暖房装置３においては、低温やけどを防止する等の観点から、ユーザが直接温度を設定するのではなく設定温度レベルを指定し、室温に応じた適正温度範囲（目標温度範囲）に収まるように修正することが行われる。このとき、本実施の形態に係るリモコンアプリでは、単に室温に応じた適正温度範囲を設定するのではなく、最近の１日又は数日間における外気温の変化状況から、室温に対する適正温度範囲を補正し、該補正した適正温度範囲に基づいて、ユーザの設定温度を修正する。
【００５５】
図５は、通常時の床表面温度の適正温度範囲の一例を示す図である。たとえば、室温が２０℃のときの床表面の適正温度範囲が２５℃から３０℃とした場合に、例えば前記適正温度範囲を等分し、ユーザの設定温度レベルが１の場合には２５℃、ユーザの設定温度レベルが７の場合には３０℃を床表面温度として設定する。今日の外気温が昨日に比べて一定温度以上低下している場合、すなわち、昨日に比べて今日が急に寒くなっていたときは、例えばレベルによって等分される適正温度範囲は通常通り２５℃から３０℃のままとする。
【００５６】
一方、今日の外気温が昨日に比べてあまり変わらない場合、たとえば、寒い日が、昨日から、あるいは、最近数日間続いている場合は、人の体が寒さに慣れてきていると想定されるので、例えばレベルによって等分される適正温度範囲を通常より低く（狭く）する。たとえば、室温２３℃のところで、通常時の適正温度範囲が２５℃から３１℃であったものを１℃下げて２５℃から３０℃に補正する。各室温での適正温度範囲はこれと同じ比率で補正する。この結果、室温２０℃では、ユーザの設定温度レベルが１の場合には２５℃、ユーザの設定温度レベルが７の場合には２９．３℃を床表面温度として設定することとなる。図６は、寒さに慣れてきた時の床表面温度の適正温度範囲の一例を示す図である。
【００５７】
なお、レベルによって等分される適正温度範囲を低く（狭く）するのではなく、寒い日が、数日間続いている場合には、ユーザの設定温度レベルを７としても通常時のレベル６と同じ２９℃とし、レベル６を通常時のレベル５とし、レベル１と２は通常時のレベル１と同じとすることで、目標温度が下がるように補正しても良い。
【００５８】
最近の１日または数日間の気温の変化状況に応じた目標温度（ユーザの設定した設定温度レベルや室温に対する床表面の適正温度範囲）の補正は、
（１）前日からの気温の変化が閾値以下の場合に補正する
（２）気温の変化が閾値以下の日が継続している場合は、補正量を、所定の上限範囲内で多くする
のように行う。
【００５９】
このようにして補正した後の設定温度を床暖房装置３の熱源機４に通知する（ステップＳ１０５）。熱源機４は携帯型情報処理端末１０から通知された補正後の設定温度に従って暖房運転を行う。より詳細には、床暖房装置３では、室温に応じて設定した適正温度範囲を、最近の気温の変化状況に基づいて補正し、ユーザの設定した設定温度レベルと、補正後の適正温度範囲とから修正した温度を熱源機４に通知する。
【００６０】
図４は、室温の検出処理（図３のステップＳ１０３）を示す流れ図である。まず。携帯型情報処理端末１０が床暖房装置３の設置場所の近くに居るか否か（ユーザの自宅の放熱パネル５が設置された部屋に居るか否か）を判定する（ステップＳ２０１）。該当の部屋に居なければ（ステップＳ２０１；Ｎｏ）、ステップＳ２０１に戻って処理を継続する。
【００６１】
該当の部屋に居る場合は（ステップＳ２０１；Ｙｅｓ）、携帯型情報処理端末１０がユーザに所持されているか否かを判定する（ステップＳ２０２）。姿勢検出部１８の検出値から、携帯型情報処理端末１０の姿勢がわずかでも変化しているときは、ユーザに所持されていると判定する。所定時間以上継続して姿勢が変化しない場合は、ユーザに所持されていないと判定する。
【００６２】
ユーザに所持されているときは（ステップＳ２０３；Ｙｅｓ）、ステップＳ２０１に戻って処理を継続する。ユーザに所持されていないと判定した場合は（ステップＳ２０３；Ｎｏ）、携帯型情報処理端末１０の発熱量を算出する（ステップＳ２０４）。ステップＳ２０３にてユーザに所持している場合にステップＳ２０１に戻るのは、ユーザが手に持っているのか、胸ポケット等に入れているのかで、携帯型情報処理端末１０のユーザからの受熱量が異なり、かつ、安定しないからである。
【００６３】
携帯型情報処理端末１０の発熱量は、充電状態（例えばつい先ほどまで充電されていて、充電池からの発熱が続いている等）、アプリケーションプログラムの稼働状況、操作状況、ＣＰＵの使用率などから演算する。なお、充電中であれば、携帯型情報処理端末１０がユーザの手元から遠く離れ、例えば壁面にあるコンセント近くに携帯型情報処理端末１０があるものとして、ユーザに所持されているとき（ステップＳ２０３；Ｙｅｓ）と同じ扱いをしても良い。なぜならば、居室中央に敷設される放熱パネル５の設置範囲外に携帯型情報処理端末１０がある可能性が高い為である。ユーザに所持されておらず、かつ、充電中でない場合（居室中央に敷設される放熱パネル５の設置範囲内にある場合）には、アプリケーションプログラムの稼働状況やユーザの操作状況、ＣＰＵの使用率などからＣＰＵ等の部品の発熱量を算出する。
【００６４】
次に、ステップＳ２０４で算出した発熱量に応じて温度がどのように上昇・下降するかを推定し、該推定した温度の上昇・下降具合と、温度センサ１９が検出する温度の上昇・下降具合とを比較し、温度センサ１９ の検出した温度の上昇・下降具合が、発熱量に基づく温度の上昇・下降具合より一定以上大きい場合は（ステップＳ２０５；Ｙｅ ｓ）、ステップＳ２０１に戻って処理を継続する。
【００６５】
携帯型情報処理端末１０は、定期的にバックグラウンドで各種アプリが情報の更新（通称バックグラウンド更新）を行っている。例えば、アプリのアップデート、アプリ起動時に情報更新が好ましい最新ニュースや天気情報等の更新等がある。すなわち発熱量が適宜変化する。ところで、たとえば、携帯型情報処理端末１０が床暖房装置３で暖房中の床に置かれたり、テレビなどの発熱体の上に置かれたりしているような場合がある。このような場合には携帯型情報処理端末１０は受熱する。従って、受熱量が大きければ温度センサ１９で測定される温度は高くなる。さらに、室温が高くなったのと同じ効果が発生するので放熱量が下がる。この結果、発熱量に応じて温度がどのように上昇・下降するかを推定した上昇・下降具合（傾き）が推定値と実測値とで乖離が激しくなる。その乖離の程度をステップＳ２０５の判定によって検出し、安定していない場合は、室温を検出できないと判定する。なお、冷たい物の上に置かれた場合を考慮し、温度センサ１９の検出する温度の上昇具合（下降も含む）が発熱量から推定した温度の上昇具合より一定以上少ない場合にも室温検出不可と判定してもよい。
【００６６】
温度センサ１９の検出する温度の変化具合と、発熱量から推定した温度の上昇具合との差が一定以下ならば（ステップＳ２０５；Ｎｏ）、算出した発熱量に基づいて温度センサ１９の検出温度を補正して室温を求める（ステップＳ２０６）。
【００６７】
なお、充電中でなく、かつ、アプリケーションプログラムも稼働していない状態が一定時間以上継続していることを確認し、このときバックグラウンド更新を強制ＯＦＦとして（App のコンテンツ更新を一時的に停止状態として）温度センサ１９の検出温度に基づいて室温を推定するようにしてもよい。また、このときの温度センサ１９を携帯型情報処理端末１０の待機状態における発熱量で補正して室温を推定するようにしてもよい。
【００６８】
携帯型情報処理端末１０におけるアプリケーションプログラムの稼働時間や操作時間(発熱量に対応）と周囲温度とから温度センサ１９の検出温度は定まるので、これら相関関係を予め測定・照合等しておき、該相関関係を、温度センサ１９の検出温度と稼働時間や操作時間(発熱量に対応)で参照して周囲温度を導出する。前記測定・照合は、居室空気の攪拌が行なわれ、かつ床暖房装置非使用中である例えば夏場（冷房作動時）に、居室壁面に設置されたリモコン内にある温度センサで測定される検出値（周囲温度）とで行うことが好ましい。上記の相関関係は携帯型情報処理端末１０の機種に応じて異なるが、ユーザが使用する機種に対応する相関関係（携帯型情報処理端末１０を保護するカバーの取付等で生じる放熱特性関係も含めた相関関係）を適用することが望ましい。また、例えば冬場に測定・照合を行う場合には、リモコンが設置されている居室壁面と室内中央に敷設される放熱パネル５近辺との温度差が少ない床暖房の暖房ＯＦＦ時か、暖房初期に行うことが好ましい。
【００６９】
このように、本実施の形態に係る床暖房システム２では、最近の１日または数日間の気温の変化状況に応じて、設定温度を補正するので、気温の変化に対する人の体の慣れを考慮した、快適な設定温度で冷暖房を制御することができる。これにより、冷暖房温度を適正化でき、必要以上に暖房するといったことが防止され、省エネルギーな運転を実現することができる。
【００７０】
また、携帯型情報処理端末１０が有する温度センサ１９の検出温度を補正して室温を推定するので、室内中央に敷設される放熱パネル５近辺（ユーザ近辺）に特別な温度センサ１９を取り付けることなく、室温を取得することができる。
【００７１】
以上、本発明の実施の形態を図面によって説明してきたが、具体的な構成は実施の形態に示したものに限られるものではなく、本発明の要旨を逸脱しない範囲における変更や追加があっても本発明に含まれる。
【００７２】
実施の形態では、携帯型情報処理端末１０の機能を利用して、室温の取得や最近数日間の気温の変化を示す情報を取得したが、床暖房装置３等の冷暖房装置自体がこれらの機能を具備するようにしてもよい。また、室温は、別途の温度センサを設けて検出するようにしてもよい。
【００７３】
実施の形態では、床暖房装置３を例に説明したが、冷房機能を有する装置にも同様に適用できる。たとえば、冷暖房機能を有するエアコンの制御にも本発明は適用できる。冷房の場合、暑い日が続いている場合には人の体が暑さに慣れてきていると想定されるので、ユーザの設定した設定温度（目標温度）を、たとえば、１℃加算して、気温に近づけるように補正する。
【００７４】
実施の形態では、携帯型情報処理端末１０は、リモコンアプリにより床暖房装置３のリモコンとして機能する例を示したが、設定温度を補正する指示を床暖房装置３の熱源機４に送信する機能を果たせば、床暖房装置３のリモコンとしての機能を具備しなくてもよい。たとえば、実施の形態では、携帯型情報処理端末１０にてユーザから設定温度の設定を受けるようにしたが、設定温度の設定は床暖房装置３が別途のリモコンで受け付け、携帯型情報処理端末１０は該設定温度を床暖房装置３から通信で取得するように構成されてもよい。
【符号の説明】
【００７５】
２…床暖房システム
３…床暖房装置
４…熱源機
５…放熱パネル
６…無線ルータ
８…Ｗｅｂサイト
１０…携帯型情報処理端末
１１…ＣＰＵ
１２…ＲＯＭ
１３…ＲＡＭ
１４…不揮発メモリ
１５…操作部
１５ａ…タッチパネル
１６…表示部
１７…通信部
１８…姿勢検出部
１９…温度センサ
２１…ＧＰＳ機能部
２２…音声出力部
２３…カメラ(カメラデバイス)
３０…制御基板
【図１】
0006599679.tif 000002
【図２】
0006599679.tif 000003
【図３】
0006599679.tif 000004
【図４】
0006599679.tif 000005
【図５】
0006599679.tif 000006
【図６】
0006599679.tif 000007